(57)【特許請求の範囲】
【請求項１】
内部導体の外周を絶縁体で被覆したコアを２本並列に配列し、これら２本のコアの外周に、第１の横巻シールドを施し、第１の横巻シールドの外周に、第１の横巻シールドと逆方向に第２の横巻シールドを施し、第２の横巻シールドの外周に、プラスチックテープの片面に金属蒸着層が形成される複合テープを、金属蒸着層が第２の横巻シールド側となるように巻き付け、複合テープの外周をジャケットで被覆したことを特徴とする２重横巻２心平行極細同軸ケーブル。
【請求項２】
内部導体の外周を絶縁体で被覆したコアを２本並列に配列し、これら２本のコアの外周に、第１の横巻シールドを施し、第１の横巻シールドの外周に、第１の横巻シールドと逆方向に第２の横巻シールドを施し、第２の横巻シールドの外周に、プラスチックテープの両面に金属蒸着層が形成される複合テープを巻き付け、複合テープの外周をジャケットで被覆したことを特徴とする２重横巻２心平行極細同軸ケーブル。
【請求項３】
内部導体の外周を絶縁体で被覆したコアを２本並列に配列し、これら２本のコアの外周に、第１の横巻シールドを施し、第１の横巻シールドの外周に、第１の横巻シールドと同方向異ピッチに第２の横巻シールドを施し、第２の横巻シールドの外周に、プラスチックテープの片面に金属蒸着層が形成される複合テープを、金属蒸着層が第２の横巻シールド側となるように巻き付け、複合テープの外周をジャケットで被覆したことを特徴とする２重横巻２心平行極細同軸ケーブル。
【請求項４】
内部導体の外周を絶縁体で被覆したコアを２本並列に配列し、これら２本のコアの外周に、第１の横巻シールドを施し、第１の横巻シールドの外周に、第１の横巻シールドと同方向異ピッチに第２の横巻シールドを施し、第２の横巻シールドの外周に、プラスチックテープの両面に金属蒸着層が形成される複合テープを巻き付け、複合テープの外周をジャケットで被覆したことを特徴とする２重横巻２心平行極細同軸ケーブル。
【請求項５】
コアの内部導体の外径が約０．１３ｍｍ以下で、ジャケットを被覆したときの長軸方向の外径が１．０ｍｍ以下である請求項１〜４いずれかに記載の２重横巻２心平行極細同軸ケーブル。
【請求項６】
複合テープに形成される金属蒸着層が銀または銅からなると共に、その厚さが０．１μｍ以上である請求項１〜５いずれかに記載の２重横巻２心平行極細同軸ケーブル。
【発明の詳細な説明】
【０００１】
【発明の属する技術分野】
本発明は、内部導体の外周を絶縁体で被覆した２本並列のコアを備えた２心平行極細同軸ケーブルに係り、特に、屈曲特性に優れ、シールド効果が高く、しかもシールドストリップ性の向上を図った蒸着テープ縦添え２心平行極細同軸ケーブルに関するものである。
【０００２】
【従来の技術】
一般に同軸ケーブルはシールド効果を高めるために、外部シールドとして編組シールド、さらには２重シールドにするなどの技術を用いて金属のボリューム（シールドのボリューム）を出している。これは、内部導体の外周を絶縁体で被覆した２本並列のコアを備えた２心平行極細同軸ケーブルの場合も同様である。
【０００３】
２心平行極細同軸ケーブルとしては、例えば、外部シールドとして、並列に配列された２本のコアの外周に編組シールドを施し、その編組シールドの外周に、プラスチックテープの片面に厚さが０．１μｍ以上の銅蒸着層を形成した複合テープを、銅蒸着層が編組シールド側となるようにして巻き付けたものがある。
【０００４】
【発明が解決しようとする課題  】
極細同軸ケーブルの場合、端末加工として外部シールドをストリップするには、まず、ジャケットストリップ後に、ケーブルをはんだ槽に入れて外部シールドをはんだで固め、次に外部シールドに切れ目を入れ、その後外部シールドを引き抜く、という作業を行う。
【０００５】
しかしながら、外部シールドが編組シールドの場合、外部シールドを引き抜くときに、編組シールドが締まってコアを締め付けるため、非常にストリップしづらいという問題がある。時にはコアの断線を引き起こしてしまう。また、編組シールドの場合、素線が編まれているため、素線同士のこすれが激しく、外部導体が断線しやすい。
【０００６】
これを解決する方法として、編組シールドを横巻シールドに変更する方法があるが、シールドボリュームが小さいため、編組シールド品よりもシールド効果が劣る、という欠点が伴う。
【０００７】
そこで、本発明の目的は、屈曲特性に優れ、シールド効果が高く、かつシールドストリップ性の優れた蒸着テープ縦添え２心平行極細同軸ケーブルを提供することにある。
【０００８】
【課題を解決するための手段】
本発明は上記目的を達成するために創案されたものであり、請求項１の発明は、内部導体の外周を絶縁体で被覆したコアを２本並列に配列し、これら２本のコアの外周に、第１の横巻シールドを施し、第１の横巻シールドの外周に、第１の横巻シールドと逆方向に第２の横巻シールドを施し、第２の横巻シールドの外周に、プラスチックテープの片面に金属蒸着層が形成される複合テープを、金属蒸着層が第２の横巻シールド側となるように巻き付け、複合テープの外周をジャケットで被覆した２重横巻２心平行極細同軸ケーブルである。
【０００９】
請求項２の発明は、内部導体の外周を絶縁体で被覆したコアを２本並列に配列し、これら２本のコアの外周に、第１の横巻シールドを施し、第１の横巻シールドの外周に、第１の横巻シールドと逆方向に第２の横巻シールドを施し、第２の横巻シールドの外周に、プラスチックテープの両面に金属蒸着層が形成される複合テープを巻き付け、複合テープの外周をジャケットで被覆した２重横巻２心平行極細同軸ケーブルである。
【００１０】
請求項３の発明は、内部導体の外周を絶縁体で被覆したコアを２本並列に配列し、これら２本のコアの外周に、第１の横巻シールドを施し、第１の横巻シールドの外周に、第１の横巻シールドと同方向異ピッチに第２の横巻シールドを施し、第２の横巻シールドの外周に、プラスチックテープの片面に金属蒸着層が形成される複合テープを、金属蒸着層が第２の横巻シールド側となるように巻き付け、複合テープの外周をジャケットで被覆した２重横巻２心平行極細同軸ケーブルである。
【００１１】
請求項４の発明は、内部導体の外周を絶縁体で被覆したコアを２本並列に配列し、これら２本のコアの外周に、第１の横巻シールドを施し、第１の横巻シールドの外周に、第１の横巻シールドと同方向異ピッチに第２の横巻シールドを施し、第２の横巻シールドの外周に、プラスチックテープの両面に金属蒸着層が形成される複合テープを巻き付け、複合テープの外周をジャケットで被覆した２重横巻２心平行極細同軸ケーブルである。
【００１２】
請求項５の発明は、コアの内部導体の外径が約０．１３ｍｍ以下で、ジャケットを被覆したときの長軸方向の外径が１．０ｍｍ以下である請求項１〜４いずれかに記載の２重横巻２心平行極細同軸ケーブルである。
【００１３】
請求項６の発明は、複合テープに形成される金属蒸着層が銀または銅からなると共に、その厚さが０．１μｍ以上である請求項１〜５いずれかに記載の２重横巻２心平行極細同軸ケーブルである。
【００１４】
【発明の実施の形態】
以下、本発明の好適実施の形態を添付図面にしたがって説明する。
【００１５】
図１は本発明の好適実施の形態である２重横巻２心平行極細同軸ケーブルの断面図を示したものである。図２は、図１に示した２重横巻２心平行極細同軸ケーブルの構造図を示したものである。
【００１６】
図１および図２に示すように、本発明に係る２重横巻２心平行極細同軸ケーブル１は、例えば、ノートパソコンのヒンジ部などの狭いスペースに配線するケーブルとして用いられるものであり、より詳細には、ノートパソコンの本体と液晶画面を、ヒンジ部を通して接続するためのものである。
【００１７】
この２重横巻２心平行極細同軸ケーブル１は、内部導体２ａ，２ｂの外周を絶縁体３ａ，３ｂでそれぞれ被覆した２本並列のコア４ａ，４ｂと、コア４ａ，４ｂの外周に施される第１の横巻シールド５と、第１の横巻シールド５の外周に、第１の横巻シールド５と逆方向に施される第２の横巻シールド６と、プラスチックテープ７の片面に金属蒸着層８が形成され、金属蒸着層８が第２の横巻シールド６側となるようにコア４ａ，４ｂの外周に巻き付けられる複合テープ９と、複合テープ９の外周に被覆されるジャケット１０とからなっている。
【００１８】
内部導体２ａ，２ｂは、例えば、軟銅線、すずめっき軟銅線、銀めっき銅合金線などの単線あるいはそれを撚り合わせた撚り線導体からなり、その外径φｉが約０．１３ｍｍ以下のものを使用している。内部導体２ａ，２ｂの外径φｉは、言い換えれば、３６ＡＷＧ（American Wire Gauge：アメリカ式針金ゲージ）以下である。
【００１９】
絶縁体３ａ，３ｂとしては、例えば、ポリエチレン、ポリプロピレン、エチレン・四フッ化エチレン共重合体（ＥＴＦＥ：Copolymer of Ethylene and Tetrafluoroethylene）、四フッ化エチレン・六フッ化プロピレン共重合体（ＦＥＰ：Copolymer of Tetrafluoroethylene and Hexafluoropropylene）、四フッ化エチレン樹脂（ＰＴＦＥ：Polytetrafluoroethylene）、四フッ化エチレン・パーフロロプロピルビニルエーテル共重合体（ＰＦＡ：Copolymer of Tetrafluoroethylene and Perfluoroalkoxy）あるいはフッ素ゴムの中から選定した樹脂を用いている。
【００２０】
コア４ａ，４ｂは、内部導体２ａ，２ｂの外周に、押出し機などにより、上述したいずれかの樹脂を均一の厚さで押出し被覆して形成しても良いし、これらの樹脂からなるテープを、内部導体２ａ，２ｂの外周に巻き回して形成しても良い。各コア４ａ，４ｂの外径φｃは、約０．４２ｍｍ以下である。
【００２１】
さて、２心並列に配列したコア４ａ，４ｂの外周には、外部シールドとしての第１の横巻シールド５が施されている。第１の横巻シールド５は、例えば、軟銅線、すずめっき軟銅線、銀めっき銅合金線などの素線５ａ，５ｂ…を、多数本（例えば、３０本〜６０本）所定ピッチで横巻して形成されるものである。横巻シールド５を形成する各素線５ａ，５ｂ…の径φｓは、約０．０３ｍｍである。
【００２２】
第１の横巻シールド５の外周には、第１の横巻シールド５と逆方向となるように外部シールドとしての第２の横巻シールド６が施されている。第２の横巻シールド６も、例えば、軟銅線、すずめっき軟銅線、銀めっき銅合金線などの素線６ａ，６ｂ…を、多数本（例えば、３０本〜６０本）所定ピッチで横巻して形成されるものである。横巻シールド６を形成する各素線６ａ，６ｂ…の径φｓは、約０．０３ｍｍである。
【００２３】
横巻シールド５，６の横巻ピッチは、横巻ピッチが大きければ、各素線５ａ，５ｂ…、６ａ，６ｂ…間の連続的なスリットが大きくなってシールド効果が劣る点と、横巻ピッチが小さければ、各素線５ａ，５ｂ…、６ａ，６ｂ…間のスリットは小さくなるものの、製造時の素線５ａ，５ｂ…、６ａ，６ｂ…の張力によりケーブル１自体に捻れが発生する点とを考慮して決定される。より具体的に言えば、横巻ピッチは、２倍のコア外径φｃと素線径φｓとの和の１０倍〜２０倍となるようにすればよい。
【００２４】
第２の横巻シールド６の外周には、例えば、ポリエステルなどのプラスチックテープ７の片面に金属蒸着層８が形成された複合テープ９が巻き付けられている。この複合テープ９は、金属蒸着層８が第２の横巻シールド６側となるようにして第２の横巻シールド６の外周に巻き付けられている。金属蒸着層８としては、例えば、銅または銀からなるものを用いている。金属蒸着層８の厚さは、０．１μｍ以上となるようにしている。
【００２５】
ジャケット１０としては、例えば、ポリ塩化ビニル（ＰＶＣ：Polyvinyl chloride）、ポリエチレン、ポリプロピレン、エチレン・四フッ化エチレン共重合体（ＥＴＦＥ）、四フッ化エチレン・六フッ化プロピレン共重合体（ＦＥＰ）、四フッ化エチレン樹脂（ＰＴＦＥ）、四フッ化エチレン・パーフロロプロピルビニルエーテル共重合体（ＰＦＡ）あるいはフッ素ゴムの中から選定された樹脂を用いている。
【００２６】
ジャケット１０は、複合テープ９の外周に、上述したいずれかの樹脂を、押出し機などによって均一の厚さで押出し被覆したものである。ジャケット１０としては、例えば、ポリエステルなどのプラスチックテープを使用してもよい。この場合は、プラスチックテープを複合テープ９の外周に重ね巻きする。
【００２７】
２重横巻２心平行極細同軸ケーブル１は、ジャケット１０を被覆したときの長軸方向の外径φが１．０ｍｍ以下となっている。
【００２８】
本発明の特徴は、２本並列のコアの外周に施される横巻シールドを２重にした点、すなわち、第１の横巻シールドと第２の横巻シールドの２層構造とした点にある。横巻シールドを２重にすることによってシールド効果を高めており、ケーブルの端末加工の際、横巻シールドが容易に解けることによって優れたシールドストリップ性を持たせている。また、２重にした横巻シールドは、編組シールドに比べれば金属のボリューム（シールドのボリューム）が小さいので、屈曲特性に優れている。
【００２９】
次に、２重横巻２心平行極細同軸ケーブル１の製造手順の一例を説明する。
【００３０】
まず、内部導体２ａ，２ｂとして、外径φｉが約０．０９ｍｍ（４０ＡＷＧ）の銀めっき銅合金線を用いる。各内部導体２ａ，２ｂの外周に、絶縁体３ａ，３ｂとして、押出し機により、ＰＦＡ樹脂を押出し被覆したＰＦＡ樹脂絶縁体を設け、コア外径φｃが０．２１ｍｍのコア４ａ，４ｂとする。これら絶縁線心であるコア４ａ，４ｂを２本並列に配列する。
【００３１】
２本並列のコア４ａ，４ｂの外周に、素線５ａ，５ｂ…として、素線径φｓが０．０３ｍｍの銀めっき銅合金線を６ｍｍのピッチで４０本らせん状に横巻し、第１の横巻シールド５とする。
【００３２】
第１の横巻シールド５の外周に、素線６ａ，６ｂ…として、素線径φｓが０．０３ｍｍの銀めっき銅合金線を、６ｍｍのピッチで第１の横巻シールド５と逆方向に４４本らせん状に横巻し、第２の横巻シールド６とする。
【００３３】
第２の横巻シールド６の外周に、厚さが約４μｍ、幅が２．５ｍｍの複合テープ９として、プラスチックテープ７としてのポリエステルテープの片面に、厚さが約０．３μｍの金属蒸着層８としての銅蒸着層が形成された銅蒸着ポリエステルテープを巻き付ける。複合テープ９は、銅蒸着層が第２の横巻シールド６側となるように、１／２〜１／３で重ね巻きされている。
【００３４】
この複合テープ９の外周に、ジャケット１０として、厚さが約６．５μｍ、幅が２．５ｍｍのポリエステルテープを１／２〜１／３で重ね巻きすると、図１および図２で示した２重横巻２心平行極細同軸ケーブル１が完成する。ケーブル１の仕上がり外径（ジャケットを被覆したときの長軸方向の外径）φは、約０．５５ｍｍである。
【００３５】
このように、本発明に係る２重横巻２心平行極細同軸ケーブル１は、２重にした横巻シールドが金属のボリューム（シールドのボリューム）を大きくするので、シールド効果が高い。特に、第１の横巻シールド５と第２の横巻シールド６は、互いに逆方向に施されているので、各素線５ａ，５ｂ…、６ａ，６ｂ…間に形成されるスリットを極力小さくすることができ、外部シールドが編組シールドの場合と同等の高いシールド効果を発揮することができる。
【００３６】
ケーブル１の仕上がり外径（ジャケットを被覆したときの長軸方向の外径）が１．０ｍｍ以下と細径であり、シールド効果も十分なので、例えば、１０ＭＨｚ以上の高周波数で使用される近年のノートパソコンのヒンジ部などの狭いスペースに配線するケーブルとして用いることができる。より詳細に言えば、ノートパソコンの本体と液晶画面を、ヒンジ部を通して接続するケーブルとして使用することができる。
【００３７】
端末加工として外部シールドをストリップするには、上述したように、まず、ジャケットストリップ後に、ケーブルをはんだ槽に入れて外部シールドをはんだで固め、次に外部シールドに切れ目を入れ、その後外部シールドを引き抜く、という作業を行う。
【００３８】
本発明に係る２重横巻２心平行極細同軸ケーブル１は、外部シールドが横巻シールドであるため、横巻シールドを引き抜く際、編組シールドの場合と異なり、コアが締め付けの影響を受けることがないので、シールドストリップが容易となり、コアが断線することもない。これは、横巻シールドが多数本の素線をらせん状に横巻したものなので、容易に横巻を解くことができるからである。
【００３９】
さらに、外部シールドが横巻シールドであることから、外部シールドが編組シールドや２重シールドの場合に欠けているケーブルの柔軟性をも高めることができる。ケーブルの仕上がり外径についても、外部シールドが編組シールドや２重シールドの場合に比べると、より小さくすることができる。
【００４０】
したがって、本発明に係る蒸着テープ縦添え２心平行極細同軸ケーブル１は、電気特性、加工性、屈曲性のすべてをバランスよく備えたケーブルである。
【００４１】
次に、本発明の第２の実施の形態を説明する。
【００４２】
図３は、本発明の第２の実施の形態である２重横巻２心平行極細同軸ケーブルの断面図を示したものである。図４は、図３に示した２重横巻２心平行極細同軸ケーブルの構造図を示したものである。
【００４３】
図３および図４に示すように、２重横巻２心平行極細同軸ケーブル３０は、第２の横巻シールド６の外周に、プラスチックテープ７の両面に金属蒸着層３１ａ，３１ｂが形成される複合テープ３２を巻き付けたものであり、その他の構成は図１および図２で説明した２重横巻２心平行極細同軸ケーブル１と同じ構成である。
【００４４】
金属蒸着層３１ａ，３１ｂとしては、例えば、銅または銀からなるものを用いている。各金属蒸着層３１ａ，３１ｂの厚さは、０．１μｍ以上となるようにしている。
【００４５】
２重横巻２心平行極細同軸ケーブル３０は、第２の横巻シールド６の外周に、プラスチックテープ７の両面に金属蒸着層３１ａ，３１ｂが形成された複合テープ３２が巻き付けられているので、ケーブル１に比べれば、より一層シールド効果が高くなるという利点がある。また、第２の横巻シールド６の外周に複合テープ３２を巻き付ける際に、表裏を確認する必要がないので、巻き付けを誤ることがないという利点もある。その他の作用効果は、ケーブル１と同様である。
【００４６】
本発明の第３の実施の形態を説明する。
【００４７】
図５は、本発明の第３の実施の形態である２重横巻２心平行極細同軸ケーブルの断面図を示したものである。図６は、図５に示した２重横巻２心平行極細同軸ケーブルの構造図を示したものである。
【００４８】
図５および図６に示すように、２重横巻２心平行極細同軸ケーブル５０は、内部導体２ａ，２ｂの外周を絶縁体３ａ，３ｂでそれぞれ被覆した２本並列のコア４ａ，４ｂと、コア４ａ，４ｂの外周に施される第１の横巻シールド５１と、第１の横巻シールド５１の外周に、第１の横巻シールド５１と同方向異ピッチに施される第２の横巻シールド５２と、プラスチックテープ７の片面に金属蒸着層８が形成され、金属蒸着層８が第２の横巻シールド５２側となるようにコア４ａ，４ｂの外周に巻き付けられる複合テープ９と、複合テープ９の外周に被覆されるジャケット１０とからなっている。
【００４９】
第１の横巻シールド５１は、２本並列のコア４ａ，４ｂの外周に、素線５ａ，５ｂ…として、素線径φｓが０．０３ｍｍの銀めっき銅合金線を６ｍｍのピッチで４０本らせん状に横巻したものである。
【００５０】
第２の横巻シールド５２は、第１の横巻シールド５の外周に、素線６ａ，６ｂ…として、素線径φｓが０．０３ｍｍの銀めっき銅合金線を、５ｍｍのピッチで第１の横巻シールド５１と同一方向に４４本らせん状に横巻したものである。第２の横巻シールド５２は、第１の横巻シールド５１と同方向に施されるので、素線６ａ，６ｂ…を第１の横巻シールド５１の素線５ａ，５ｂ…よりも狭いピッチで巻き付けることにより、各素線５ａ，５ｂ…、６ａ，６ｂ…間に形成されるスリットを小さくするようにしている。
【００５１】
２重横巻２心平行極細同軸ケーブル５０は、図１〜図４で説明したケーブル１、ケーブル３０に比較すれば、若干シールド効果が劣るものの、第１の横巻シールド５１と第２の横巻シールド５２が同方向に施されているので、特に、シールドストリップ性や屈曲特性に優れている。
【００５２】
本発明の第４の実施の形態を説明する。
【００５３】
図７は、本発明の第４の実施の形態である２重横巻２心平行極細同軸ケーブルの断面図を示したものである。図８は、図７に示した２重横巻２心平行極細同軸ケーブルの構造図を示したものである。
【００５４】
図７および図８に示すように、２重横巻２心平行極細同軸ケーブル７０は、第２の横巻シールド５２の外周に、プラスチックテープ７の両面に金属蒸着層３１ａ，３１ｂが形成される複合テープ３２を巻き付けたものであり、その他の構成は図５および図６で説明した２重横巻２心平行極細同軸ケーブル５０と同じ構成である。
【００５５】
金属蒸着層３１ａ，３１ｂとしては、例えば、銅または銀からなるものを用いている。各金属蒸着層３１ａ，３１ｂの厚さは、０．１μｍ以上となるようにしている。
【００５６】
２重横巻２心平行極細同軸ケーブル７０は、第２の横巻シールド５２の外周に、金属蒸着層３１ａ，３１ｂが両面に形成された複合テープ３２が巻き付けられているので、ケーブル５０に比べれば、より一層シールド効果が高くなるという利点がある。また、第２の横巻シールド５２の外周に複合テープ３２を巻き付ける際に、表裏を確認する必要がないので、巻き付けを誤ることがないという利点もある。その他の作用効果は、ケーブル５０と同様である。
【００５７】
次に、本発明に係る２重横巻２心平行極細同軸ケーブルの特徴をまとめて説明する。
【００５８】
表１は、本発明に係る２重横巻２心平行極細同軸ケーブルと従来の２心平行極細同軸ケーブルの特徴を、シールド効果・シールドストリップ性・屈曲特性について比較したものである。従来例のケーブルは、編組シールドのものと、１層の横巻シールドのものとの２例である。表１では、最も優れているものを◎で、優れているものを○、やや優れているものを△で、最も劣っているものを×でそれぞれ表している。
【００５９】
【表１】
0003678179.tif 000002
【００６０】
表１に示すように、従来例の編組シールドを用いたケーブルは、金属のボリュームが大きいのでシールド効果に優れているが、シールドストリップ性や屈曲特性が劣っている。従来例の１層の横巻シールドを用いたケーブルは、横巻シールドが複数本のシールド素線をらせん状に巻き付けた構造であることから、シールドストリップ性や屈曲特性に優れているが、編組シールドに比べて金属のボリュームが小さく、素線間に連続的なスリットが形成されることからシールド効果が劣っている。
【００６１】
一方、２層の横巻シールドを互いに逆方向に施した本発明に係る２重横巻２心平行極細同軸ケーブル、すなわち、図１〜図４で説明したケーブル１、ケーブル３０は、シールド素線間に形成されるスリットを極力小さくすることができるので、外部シールドが編組シールドの場合と同等の高いシールド効果を発揮することができる。また、横巻シールドは容易に解けるので、シールドストリップ性も優れている。屈曲特性については、２層の横巻シールドが互いに逆方向に施されているので、１層の横巻シールドよりも劣るものの、編組シールドより優れた屈曲特性である。
【００６２】
２層の横巻シールドを互いに同方向に施した本発明に係る２重横巻２心平行極細同軸ケーブル、すなわち、図５〜図８で説明したケーブル５０、ケーブル７０は、２層の横巻シールドを互いに逆方向に施したケーブルに比べれば若干シールド効果が劣るものの、２層の横巻シールドが同方向に施されているので、特に、シールドストリップ性や屈曲特性に優れている。
【００６３】
したがって、本発明に係る２重横巻２心平行極細同軸ケーブルは、シールド効果、シールドストリップ性、屈曲特性のすべてをバランスよく備えたケーブルであることがわかる。
【００６４】
【発明の効果】
以上説明したことから明らかなように、本発明によれば次のごとき優れた効果を発揮する。
【００６５】
（１）外部シールドを２重横巻シールドとすることにより、屈曲特性に優れ、シールド効果が高く、かつシールドストリップ性に優れている。
【図面の簡単な説明】
【図１】本発明の好適実施の形態を示す断面図である。
【図２】図１に示した２重横巻２心平行極細同軸ケーブルの構造図である。
【図３】本発明の第２の実施の形態を示す断面図である。
【図４】図３に示した２重横巻２心平行極細同軸ケーブルの構造図である。
【図５】本発明の第３の実施の形態を示す断面図である。
【図６】図５に示した２重横巻２心平行極細同軸ケーブルの構造図である。
【図７】本発明の第４の実施の形態を示す断面図である。
【図８】図７に示した２重横巻２心平行極細同軸ケーブルの構造図である。
【符号の説明】
１  ２重横巻２心平行極細同軸ケーブル
２ａ，２ｂ  内部導体
３ａ，３ｂ  絶縁体
４ａ，４ｂ  コア
５  第１の横巻シールド
６  第２の横巻シールド
７  プラスチックテープ
８  金属蒸着層
９  複合テープ
１０  ジャケット
【図１】
0003678179.tif 000003
【図２】
0003678179.tif 000004
【図３】
0003678179.tif 000005
【図４】
0003678179.tif 000006
【図５】
0003678179.tif 000007
【図６】
0003678179.tif 000008
【図７】
0003678179.tif 000009
【図８】
0003678179.tif 000010